(57)【要約】  オシロメトリデバイスは、筐体を含む。ユーザ部は、筐体内に入る導管を形成し、導管は、ユーザの呼吸を受けるように適合され、オシロメトリ測定システムは、筐体内の導管に動作可能に接続され、ユーザの呼吸からオシロメトリ測定信号を生成するように適合される。ユーザ支持インタフェースは、筐体からユーザ部と共通の方向に突出し、ユーザの口がユーザ部上にあるときに、ユーザ支持インタフェースは、ユーザに対してオシロメトリデバイスを垂直に支持し、ユーザ支持インタフェースは、可撓性を有する変形可能材料で作られている。【選択図】図１
2022500212.tif 000002
【特許請求の範囲】
【請求項１】
オシロメトリデバイスであって、
筐体と、
前記筐体内に入る導管を形成するユーザ部であって、前記導管がユーザの呼吸を受けるように適合される、前記ユーザ部と、
前記筐体内の前記導管に動作可能に接続され、前記ユーザの前記呼吸からオシロメトリ測定信号を生成するように適合される、オシロメトリ測定システムと、
前記筐体から前記ユーザ部と共通の方向に突出するユーザ支持インタフェースであって、前記ユーザの口が前記ユーザ部上にあるときに、前記ユーザ支持インタフェースが、前記ユーザに対して前記オシロメトリデバイスを垂直に支持し、前記ユーザ支持インタフェースが、可撓性を有する変形可能材料で作られている、前記ユーザ支持インタフェースと、
を備える、前記オシロメトリデバイス。
【請求項２】
前記ユーザ支持インタフェースが、前記筐体から突出する１対のハンドルを含む、請求項１に記載のオシロメトリデバイス。
【請求項３】
前記ハンドルが、前記可撓性を有する変形可能材料の細長い帯状片である、請求項２に記載のオシロメトリデバイス。
【請求項４】
前記細長い帯状片が、輪を形成する、請求項３に記載のオシロメトリデバイス。
【請求項５】
前記輪が、前記ユーザの４指または手のひらを受けるようなサイズを有する、請求項４に記載のオシロメトリデバイス。
【請求項６】
前記細長い帯状片の側面上に少なくとも１つの指環をさらに備える、請求項３に記載のオシロメトリデバイス。
【請求項７】
加えられた圧力を示す信号を生成する、前記ハンドル上の少なくとも１つの圧力センサをさらに備える、請求項１に記載のオシロメトリデバイス。
【請求項８】
前記オシロメトリデバイスの向きを示す信号を生成する、前記筐体上の少なくとも１つの慣性センサをさらに備える、請求項１に記載のオシロメトリデバイス。
【請求項９】
前記ユーザ支持インタフェースが、少なくとも１つのヘッドストラップを含む、請求項１に記載のオシロメトリデバイス。
【請求項１０】
前記ハンドルが、顔面接触端において最大でも４．０ｃｍの高さを有する、請求項２に記載のオシロメトリデバイス。
【請求項１１】
前記ハンドルの前記顔面接触端についての厚さ対高さ比が、少なくとも１０である、請求項１０に記載のオシロメトリデバイス。
【請求項１２】
オシロメトリデバイスであって、
筐体と、
ユーザ方向に突出し、前記筐体内に入る導管を形成するユーザ部であって、前記導管がユーザの呼吸を受けるように適合され、前記ユーザ部が中心軸を有し、前記中心軸が、前記ユーザ部の基準平面に対して垂直であり、導管平面が、前記ユーザ方向において前記ユーザ部の端にある、前記ユーザ部と、
前記筐体内の前記導管に動作可能に接続され、前記ユーザの前記呼吸からオシロメトリ測定信号を生成するように適合される、オシロメトリ測定システムと、
前記筐体から突出し、前記ユーザ方向において前記基準平面を超えて延びるハンドルを有する、ユーザ支持インタフェースであって、前記ユーザの口が前記ユーザ部上にあるときに、前記ユーザ支持インタフェースが、前記ユーザに対して前記オシロメトリデバイスを垂直に支持し、前記ユーザ支持インタフェースが、可撓性を有する変形可能材料で作られており、前記ハンドルが、前記中心軸の横方向に配置され、少なくとも部分的に前記中心軸の＋５ｃｍ〜−５．０ｃｍの範囲に垂直方向に位置する、前記ユーザ支持インタフェースと、
を備える、前記オシロメトリデバイス。
【請求項１３】
前記ハンドルが、前記可撓性を有する変形可能材料の細長い帯状片である、請求項１２に記載のオシロメトリデバイス。
【請求項１４】
前記細長い帯状片が、輪を形成する、請求項１３に記載のオシロメトリデバイス。
【請求項１５】
前記輪が、前記ユーザの４指または手のひらを受けるようなサイズを有する、請求項１４に記載のオシロメトリデバイス。
【請求項１６】
前記細長い帯状片の側面上に少なくとも１つの指環をさらに備える、請求項１３に記載のオシロメトリデバイス。
【請求項１７】
加えられた圧力を示す信号を生成する、前記ハンドル上の少なくとも１つの圧力センサをさらに備える、請求項１３に記載のオシロメトリデバイス。
【請求項１８】
前記オシロメトリデバイスの向きを示す信号を生成する、前記筐体上の少なくとも１つの慣性センサをさらに備える、請求項１３に記載のオシロメトリデバイス。
【請求項１９】
前記ハンドルが、ヘッドストラップの一部である、請求項１３に記載のオシロメトリデバイス。
【請求項２０】
前記ハンドルが、顔面接触端において最大でも４．０ｃｍの高さを有する、請求項１３に記載のオシロメトリデバイス。
【請求項２１】
前記ハンドルの前記顔面接触端についての厚さ対高さ比が、少なくとも１０である、請求項２０に記載のオシロメトリデバイス。
【請求項２２】
前記ハンドルの端が、前記基準平面を少なくとも３．０ｃｍだけ超えて延びる、請求項１３に記載のオシロメトリデバイス。
【請求項２３】
前記ハンドル延長の端が、前記基準平面を超えて３．０ｃｍ〜１２．０ｃｍの距離に位置する、請求項１３に記載のオシロメトリデバイス。
【発明の詳細な説明】
【技術分野】
【０００１】
関連出願の相互参照
本出願は、２０１８年９月１４日に出願され、参照により本明細書に組み込まれる米国特許出願第６２／７３１，４２４号の優先権を主張する。
【０００２】
本開示は、例えば喘息または慢性閉塞性肺疾患（ＣＯＰＤ）の文脈において、呼吸機構及び肺機能の評価及びモニタリングにおいて使用される、オシロメトリ測定（別名、強制オシレーション法（ＦＯＴ））及び機器に関する。
【背景技術】
【０００３】
スパイロメトリまたはピークフローなどの肺機能を測定するための従来技術とは異なり、オシロメトリは、特定の操作を実行するために、ユーザ（この文脈では、測定を監督する人に依らず、測定されるべき被検者または患者を意味する）による自発的な努力に依存しない。むしろ、オシロメトリ測定は、定期的な安静呼吸の間に得られ、それによって、この技術がユーザにとって自然なものとなる。
【０００４】
オシロメトリ測定の間、オシロメトリデバイスによって生成される緩やかなオシロメトリ波形が、ユーザの安静呼吸の上に重ね合わされる。オシロメトリ波形に含まれる対象の周波数は、自発呼吸のパワースペクトルより上に位置し、したがって、記録に含まれる振動及び呼吸成分は、フーリエ変換及び時間周波数解析などの数値技術を用いて分離され得る。
【０００５】
オシロメトリ測定に関連する１つの制約は、典型的にはマウスピースを通して呼吸しているユーザが、オシロメトリデバイスによって生成される振動エネルギーが肺に到達し、上気道のより軟らかく柔軟な組織内に迷い込まないことを確実にするために、頬及び口腔底を手で支持しなければならないことである。より技術的な用語で表現すると、さもなければ低すぎ、かつ振動を短絡させる、上気道壁によってもたらされるシャントインピーダンスを増大させるために、手が使われなければならない。
【０００６】
ユーザの両手が左及び右の頬を支持するために用いられるため、ユーザは、手持ち式のポータブルオシロメトリデバイスを同時に保持することができない場合がある。したがって、オシロメトリデバイスは、デスクトップまたは台車などの物理的支持物に取り付けられなければならないか、またはポータブルの場合、ユーザが自分の頬を支持する間、測定中にデバイスを保持するための独立したオペレータが必要であるかのいずれかである。
【０００７】
したがって、既存のポータブルデバイスは、例えば血圧モニタリングの場合のように、「どこでも」、即ちユーザのライフスタイルに適合したやり方で自己評価するのに適していない場合がある。デバイスを保持し操作するのに別の人が必要であることが多く、したがって、そのような測定は、もはや自己評価と見なされない。
【０００８】
欧州特許第２５９８０２６号には、わずかに窪んだ略三角形状のプレートが記載されており、これは、プレート本来のわずかな圧力を加えて、プレートを静止させておくようにユーザの頬の上に配置される。プレートは、手による頬の支持に代わるように意図され、それは、手で頬を支持する間ユーザの手によって加えられる圧力に類似する圧力を、プレートがユーザの頬上に加えなければならないことを意味する。これらのプレートは、頬の肌表面に対して垂直方向に著しい剛性を有する。プレートの重量は、デバイスに対するそれらの付属物によって支持され、それが同様に、適当な構造または独立したオペレータによって支持されなければならない。
【発明の概要】
【０００９】
本開示の目的は、先行技術に関する問題に対処する自己使用オシロメトリデバイスを提供することである。
【００１０】
本開示のさらなる目的は、妥協することなく、または適切な頬の支持及びデバイス位置決めを確実にしながらであっても、ユーザによって物理的に支持され得るポータブルオシロメトリデバイスを提供することである。
【００１１】
本開示の第１の実施形態によれば、筐体と、筐体内に入る導管を形成するユーザ部であって、導管がユーザの呼吸を受けるように適合される、ユーザ部と、筐体内の導管に動作可能に接続され、ユーザの呼吸からオシロメトリ測定信号を生成するように適合される、オシロメトリ測定システムと、筐体からユーザ部と共通の方向に突出するユーザ支持インタフェースであって、ユーザの口がユーザ部上にあるときに、ユーザ支持インタフェースが、ユーザに対してオシロメトリデバイスを垂直に支持し、ユーザ支持インタフェースが、可撓性を有する変形可能材料で作られている、ユーザ支持インタフェースと、を含む、オシロメトリデバイスが提供される。
【００１２】
さらに第１の実施形態によれば、例えば、ユーザ支持インタフェースは、筐体から突出する１対のハンドルを含む。
【００１３】
さらに第１の実施形態によれば、ハンドルは、可撓性を有する変形可能材料の細長い帯状片である。
【００１４】
さらに第１の実施形態によれば、細長い帯状片は、輪を形成する。
【００１５】
さらに第１の実施形態によれば、輪は、ユーザの４指または手のひらを受けるようなサイズを有する。
【００１６】
さらに第１の実施形態によれば、例えば、少なくとも１つの指環は、細長い帯状片の側面の少なくとも１つの上にある。
【００１７】
さらに第１の実施形態によれば、例えば、その上に加えられた圧力を示す信号を生成する少なくとも１つの圧力センサは、ハンドルの少なくとも１つの上にある。
【００１８】
さらに第１の実施形態によれば、例えば、筐体上の少なくとも１つの慣性センサは、オシロメトリデバイスの向きを示す信号を生成する。
【００１９】
さらに第１の実施形態によれば、例えば、ユーザ支持インタフェースは、少なくとも１つのヘッドストラップを含む。
【００２０】
さらに第１の実施形態によれば、例えば、ハンドルは、顔面接触端において最大でも４．０ｃｍの高さを有する。
【００２１】
さらに第１の実施形態によれば、例えば、ハンドルの顔面接触端についての厚さ対高さ比は、少なくとも１０である。
【００２２】
本開示の第２の実施形態によれば、筐体と、ユーザ方向に突出し、筐体内に入る導管を形成するユーザ部であって、導管がユーザの呼吸を受けるように適合され、ユーザ部が中心軸を有し、中心軸が、ユーザ部の基準平面に対して垂直であり、導管平面が、ユーザ方向においてユーザ部の端にある、ユーザ部と、筐体内の導管に動作可能に接続され、ユーザの呼吸からオシロメトリ測定信号を生成するように適合される、オシロメトリ測定システムと、筐体から突出し、ユーザ方向において基準平面を超えて延びるハンドルを有する、ユーザ支持インタフェースであって、ユーザの口がユーザ部上にあるときに、ユーザ支持インタフェースが、ユーザに対してオシロメトリデバイスを垂直に支持し、ユーザ支持インタフェースが、可撓性を有する変形可能材料で作られており、ハンドルが、中心軸の横方向に配置され、少なくとも部分的に中心軸の＋５ｃｍ〜−５．０ｃｍの範囲に垂直方向に位置する、ユーザ支持インタフェースと、を含む、オシロメトリデバイスが提供される。
【００２３】
さらに第２の実施形態によれば、例えば、ハンドルは、可撓性を有する変形可能材料の細長い帯状片である。
【００２４】
さらに第２の実施形態によれば、例えば、細長い帯状片は、輪を形成する。
【００２５】
さらに第２の実施形態によれば、例えば、輪は、ユーザの４指または手のひらを受けるようなサイズを有する。
【００２６】
さらに第２の実施形態によれば、例えば、少なくとも１つの指環は、細長い帯状片の側面上にある。
【００２７】
さらに第２の実施形態によれば、例えば、ハンドル上の少なくとも１つの圧力センサは、その上に加えられた圧力を示す信号を生成する。
【００２８】
さらに第２の実施形態によれば、例えば、筐体上の少なくとも１つの慣性センサは、オシロメトリデバイスの向きを示す信号を生成する。
【００２９】
さらに第２の実施形態によれば、例えば、ハンドルは、ヘッドストラップの一部である。
【００３０】
さらに第２の実施形態によれば、例えば、ハンドルは、顔面接触端において最大でも４．０ｃｍの高さを有する。
【００３１】
さらに第２の実施形態によれば、例えば、ハンドルの顔面接触端についての厚さ対高さ比は、少なくとも１０である。
【００３２】
さらに第２の実施形態によれば、例えば、ハンドルの端は、基準平面を少なくとも３．０ｃｍだけ超えて延びる。
【００３３】
さらに第２の実施形態によれば、例えば、ハンドル延長の端は、基準平面を超えて３．０ｃｍ〜１２．０ｃｍの距離に位置する。
【図面の簡単な説明】
【００３４】
【図１】本開示による、自己使用オシロメトリデバイスの概略図である。
【図２】図１のオシロメトリデバイスの内部及びオシロメトリデバイスのためのユーザ支持インタフェースの実施形態を示すブロック図を有する概略図である。
【図３】オシロメトリインタフェースのためのユーザ支持インタフェースの別の実施形態を示す概略図である。
【図４】オシロメトリインタフェースのためのユーザ支持インタフェースの別の実施形態を示す概略図である。
【図５】オシロメトリインタフェースのためのユーザ支持インタフェースの別の実施形態を示す概略図である。
【図６】オシロメトリインタフェースのためのユーザ支持インタフェースの別の実施形態を示す概略図である。
【図７】オシロメトリインタフェースのためのユーザ支持インタフェースの別の実施形態を示す概略図である。
【図８】オシロメトリインタフェースのためのユーザ支持インタフェースの別の実施形態を示す概略図である。
【発明を実施するための形態】
【００３５】
図面、及びより詳細には図１を参照すると、本開示による自己使用オシロメトリデバイス１０が示されている。オシロメトリデバイス１０は、デバイス１０が、ある状況（例えば、ユーザの年齢、身体的な自律性など）において、別の人間の存在及び援助を必要とすることなくユーザの自己評価及び自己モニタリングに適した、小型で、コンパクトかつポータブルなオシロメトリデバイスであるという事を表現するために、他の表現の中でも特に、「自己使用」、「自己評価」、「ポータブル」であると説明され得る。さらに明確にするために、この文脈におけるポータブル性の概念は、デバイス１０が閉鎖空間、例えば航空機または電車内で容易にかつ快適に使用され、小型バックパックまたは機内持ち込み手荷物などの小型の個人手荷物の品目において輸送され得ることを意味する。図１は、オシロメトリデバイス１０の自己使用の概略図を示す。
【００３６】
図２を参照すると、自己使用オシロメトリ測定を作動させるための様々なハードウェア、電子回路、及びソフトウェアコンポーネントを含む筐体８０を有する、デバイス１０の実施形態が示される。筐体８０は、上述の自己使用を可能にするために限られた容積のものである。例えば、実際には、これは、オシロメトリデバイス１０が、（例えば、２リットルを超えない）限られた容積包装内に収まってもよく、軽量（例えば、わずか１ｋｇ）であってもよく、及び／または独立して電力供給され動作可能であってもよいことを意味する。オシロメトリデバイス１０は、筐体８０から突出し、筐体８０内への通気路を画成する呼吸導管２０を有し得る。呼吸導管２０は、コンパクト振動流源３０に接続され、コンパクト振動流源３０は、ハウジング３３内で動いているピストン３２に接続される線形アクチュエータ３１として示されている。中でも実施例として、コンパクト振動流源３０は、同様に、いくつか例を挙げると、線形振動子、拡声器、回転ファン、または圧縮空気を含む小型シリンダに接続されたバルブによって駆動される膜であってもよい。
【００３７】
導管２０は、自由端にユーザポート４０を有する。ユーザポート４０には、マウスピースなどのユーザの気道開口部への適当なインタフェースが着脱可能に取り付けられても取り付けられなくてもよい。流量計５０は、振動流源３０とユーザポート４０との間に位置し、ユーザの気道開口部内への気流及び気道開口部からの気流を測定するように導管２０と流体連通している。流体連通は、ユーザポート４０及び導管２０内への気流が、動作可能な接続においてオシロメトリ測定システムに到達するという点で、動作可能な接続と認定され得る。流量計５０は、いくつか例を挙げると、スクリーン、ハニカム、超音波、可変オリフィス、またはベンチュリ呼吸流量計を含み得る。流量計５０とユーザポート４０との間は、ユーザの気道開口部の最も近くの圧力を測定するための圧力計５１である。
【００３８】
呼吸器入力インピーダンス及び呼吸機構及び肺機能の他の指標は、流量計５０及び圧力計５１によって記録されるデータから計算され得る。ユーザと測定場所の間、即ちユーザポート４０と、ユーザポート４０及び流量計５０の間に位置する導管２０の一部との間の通気路の動的特性は、計算されたインピーダンス及び指標の精度を強化するために使用され得る。
【００３９】
導管２０は、さらに、ユーザの呼吸の過度な負荷を防止するには十分低いが、振動波形の短絡を防止するには十分高い、気流に対する決定性インピーダンスを有する空気ポート６０と流体連通していてもよい。
【００４０】
デバイス１０は、データ記憶のためのメモリ、通信設備などを有する１つまたは複数のプロセッサを具備する少なくとも１つの処理モジュール７１、Ａ／Ｄ及びＤ／Ａ変換器、信号増幅器、フィルタ、及び発振器ドライバなどの周辺機器７２、ならびにバッテリなどのエネルギー源７３を含む、全ての必要な電子回路７０、即ち、振動を発生させ、測定値を記録し、結果を記憶し、いくつか例を挙げるとコンピュータ、タブレット、スマートフォン、遠隔医療サーバ、または中央データベースなどの別のデバイスに結果を送信するのに必要な全てのコンポーネントをさらに含み得る。処理モジュール７１は、処理ユニットに通信可能に連結され、オシロメトリ測定を実行及び評価するための処理ユニットによって実行可能なコンピュータ可読プログラム命令を含む、非一時的コンピュータ可読メモリの形態であってもよい。別の実施形態では、デバイスは、コンピュータまたはポータブル電子デバイスと無線で通信してもよく、上述の処理またはユーザインタフェース機能性のいくつかが、このポータブル電子デバイス上に位置してもよい。
【００４１】
上記コンポーネントの全てが、コンパクトかつ十分軽量な密閉された筐体８０において互いに物理的に堅固に取り付けられ、筐体８０は、使用のために組み立てられるが、洗浄またはメンテナンスのために分解されるように構成され得る。これは、オシロメトリ測定システム、即ち、ハードウェア、電子回路、及びソフトウェア、動作オシロメトリ測定を含む、上述の様々なコンポーネントへのアクセスを可能にし得る。ユーザ支持インタフェース９０が、筐体８０にさらに取り付けられている。図２に示される実施形態によれば、ユーザ支持インタフェース９０は、１つまたは２つの柔軟な解剖学的かつ人間工学的形状のグリップ９０（図２には１つが示されているが、右手側は図２の左手側の鏡像である）の形態を取り得る。グリップ９０は、ユーザが、これらのグリップ９０によりオシロメトリデバイス１０を掴むこと、ユーザの口の近くにそれを持っていくこと、及びユーザポート４０が気道開口部に接続される（例えば、マウスピースが口の中にある）ようにオシロメトリデバイス１０の最終的な位置決めをすることを可能にする。グリップ９０は、ハンドルとも呼ばれ得る。いくつかの実施形態では、デバイス１０の重量の一部は、デバイスが定位置にある時点でユーザポート４０（または、より具体的には、ユーザがマウスピースを噛むこと）によっても支持され得る。グリップ９０は、輪を形成してもしなくてもよい細長い平らな帯状片として画成されてもよく、図１には輪と共に示されており、図２には輪のない構成が示されている。帯状片は、厚さよりも大幅に大きな幅及び長さを有する主面を有するとき、平らであると見なされる。細長い帯状片の「平らな」性質は、帯状片が変形可能であり得るときに湾曲していることを除外せず、帯状片がユーザの頬と頬を支持するユーザの手との間の十分な領域を機能的に覆う限り、穴もしくは切抜きを含むこと、またはメッシュ、網、もしくはワイヤフレーム構造で構成されることも除外しない。
【００４２】
筐体８０及びユーザポート４０に対するユーザ支持インタフェース９０の位置に起因して、自己使用ユーザの口及び／または鼻が、ユーザポート４０に（例えば、ポート４０上に直接、またはマウスピース上に）接続されるとき、自己使用ユーザの手は、頬及び口腔底に対して人間工学的に手が当たるように、ユーザのそれぞれの頬に対向して配置される。この構成では、グリップ９０（またはその一部）が、手と頬及び／または口腔底との間に挟まれ、それによって、デバイス１０の重量が、グリップ９０または類似のユーザ支持インタフェースによって支持される。グリップ９０は、各ユーザの顔の固有形状に適合するように、肌の表面に対して垂直な範囲において、十分に可撓性を有してもよく、例えば弾性変形していてもよい。グリップ９０は、形状保持力を有する材料で作られていてもよく、即ち、グリップ９０は、変形の範囲で、それらが変形される形状を保持し得る。グリップ９０は、デバイス１０の重量を支持するために垂直範囲において十分な剛性を有してもよく、図２に示されるやり方で支持されるとき、ユーザの口に対して筐体８０に安定した位置を与え得る。
【００４３】
実施形態によれば、デバイス１０は、グリップ９０のうちの１つによって適切に支持されてもよい。別の実施形態によれば、ユーザ支持インタフェース（複数可）９０は、ユーザポート４０と同じ方向に突出し、ユーザポート４０の位置の関数として筐体８０上に垂直に配置される。例えば、デバイス１０が、図２の向きにあるとき、即ち、グリップ９０及び／またはユーザポート４０の軸が概して水平であるとき、グリップ（複数可）９０または類似のユーザ支持インタフェース９０は、その上端がユーザポート４０の軸と同じ高さに位置され、またはユーザポート４０の軸より最大５．０ｃｍ上もしくは５．０ｃｍ下に位置される。他の可能性として、グリップ９０は、本質的にはマウスピースまたはユーザポート４０の周囲に取り付けられてもよく、即ち、マウスピースは、グリップ９０から押し出し、または同一部品でさえある。グリップ９０または類似のユーザ支持インタフェース９０は、また、やはり手で頬を支持して、頬の上ではなく顎の下で使われてもよい。ユーザ支持インタフェース９０は、また、筐体８０に接続されたグローブ形状であってもよい。
【００４４】
したがって、図２のグリップなどのユーザ支持インタフェース９０は、本来頬に圧力をかけず、または実質的には上気道の軟組織を支持することに全く寄与しない。したがって、支持は、実質的にはグリップ９０の上及び下でユーザの手によって、かつグリップ９０を後ろに戻すことによって、もたらされる。グリップ９０は、実質的に自己使用ユーザの顔に圧力をかけるように構成されないため、（グローブ状のユーザ支持インタフェース９０など、いくつかのグリップは４．０ｃｍより大きくてもよいが、）グリップ９０は、顔面接触端において最大でも４．０ｃｍであり得る高さを有する。しかしながら、最大でも４．０ｃｍの高さは、グリップ９０の厚みよりも大幅に大きい。実施形態によれば、グリップ９０の厚み対高さ比は、少なくとも１０であるが、より低くてもよい。この比によって、グリップ９０または類似のユーザインタフェース９０が、図２のようにデバイス１０の垂直性を維持しつつ、自己使用ユーザの頬に従うように変形可能または可撓性を有することが確実にされ得る。変形能力または可撓性は、ハンドル９０が使用時に弾性変形したままである点から表現され得る。ハンドル９０が異なる形で垂れている場合があるとき、変形能力または可撓性は、何らかの塑性変形も示唆し得る。グリップの目的は、オシロメトリデバイス１０を支持することであり、言い換えると、自己使用ユーザが、手で頬を支持するために同時に自分の手を使うことを可能にし、かつ口をユーザポート４０上に置きながらデバイス１０を操作し、デバイス１０を位置決めし、デバイス１０の重量を支持することを可能にすることである。したがって、ユーザ支持インタフェース９０は、頬の肌表面に垂直な方向に柔軟で、かつ剛性をほとんど有してはならない。
【００４５】
ユーザ支持インタフェースの構成を説明するための別の方法において、ユーザポート４０は中心軸Ｘ、及びユーザに最も近いユーザポート４０の端に基準平面Ｐを有し、中心軸Ｘは、ユーザポート４０の基準平面Ｐに垂直である（図３、しかし全ての実施形態に適用可能である）。ハンドル９０は、中心軸の横方向に配置され、少なくとも部分的に中心軸の＋５ｃｍ〜−５．０ｃｍの範囲に垂直方向に位置する。ハンドル９０は、ユーザ方向において基準平面Ｐを少なくとも３．０ｃｍだけ超えて突出する。実施形態では、ハンドルの端は、基準平面Ｐから３．０ｃｍ〜１２．０ｃｍの範囲に位置する。別の実施形態では、位置調整機構９３は、所与のユーザの顔付きに最適な位置決めを容易にするために、ユーザポート４０に対するグリップ９０のユーザ調整可能な垂直位置決めを可能にし得る。位置調整機構９３は、他の可能性の中でも、グリップ９０の移動のためのスロット、グリップ９０についてのインデックス付き接続点（例えば、穴、溝など）の形態であってもよい。
【００４６】
図３に示されるデバイス１０の実施形態を参照すると、ユーザ支持インタフェース９０は、手または１つもしくは複数の指を取り巻く１つまたは複数の人間工学的形状のストラップ９１を含み得るグリップの形態をしており、それによって、ユーザポート４０を口の方に持っていく間、デバイス１０が自己使用ユーザの手に対する垂直移動関係から保持される。例示される実施形態では、２つのストラップ９１があり、１つが４指用であり、もう１つが人差し指及び中指用である。２つのグリップ９０がある場合、グリップ９０毎に単一のストラップ９１があってもよく、両方のグリップ９０について合計１つであってもよい。ストラップ９１は、１本の指を含む、いずれかの指のためのものであってもよい。ストラップ９１は、例えば弾性を有してもよく、及び／または所望の圧力に締まっていてもよい。グリップ９０上のストラップ９１の位置は、９３を参照して上述したように、調整可能であってもよい。グリップ９０及びストラップ９１のうちの１つが、図３に示されているが、右手側に、図２の左手側の鏡像として別のグリップ９０及びストラップ９１があってもよい。さらに、図１に示されるように、オシロメトリデバイス１０は、ストラップのみを有してもよい。類似の実施形態では、グリップ９０は、ミトンまたはグローブのような形状であってもよい。さらに、２つのグリップを有する実施形態では、顎の下を通過するグリップ間の架橋またはブリッジが存在してもよく、そのような架橋は、調整可能であってもよい。
【００４７】
図４に示されるデバイスの実施形態では、ユーザ支持インタフェース９０は、ユーザの頬及び口腔底上にユーザの手によって加えられる圧力を測定するための１つまたは複数のセンサ９２を含んでもよく、それによって、頬の支持が十分で、かつ適切に分散されることが保証され得る。センサ（複数可）９２からの出力は、例えば、頬の支持が十分で、かつ適切に分散されていることをセンサ（複数可）に検出させることによって、測定を開始する前提条件またはトリガとして使用され得る。さらに、センサ（複数可）９２は、頬の支持が測定全体を通して十分であることを確実にするように、オシロメトリ測定の間動作し得る。センサ９２は、歪みゲージなどの任意の適切な形態を取り得る。
【００４８】
別の実施形態では、ユーザポート４０は、ユーザの舌が楽に置かれ得る、マウスピースの下の凹空間を含み得る。そのような舌の空間には、適切に舌を置くことを検出及び確認し得るセンサが取り付けられてもよく、それによって、適切に舌を置くことが、測定を開始するための前提条件またはトリガとして使用され得る。この特徴は、必ずしも自己使用ではないオシロメトリデバイスまたは他の肺機能測定デバイスにあってもよい。
【００４９】
図５に示される別の実施形態では、オシロメトリデバイス１０は、水平面に対するオシロメトリデバイス１０の向きを検出するセンサまたはセンサ（複数可）７４を含んでもよく、それによって、わずかに上を向いているユーザの正しい向きがアサートされ得る。ユーザは、例えば可視信号または可聴信号によって、正しい位置を推測するように誘導されてもよく、適切なデバイス位置決めが、測定を開始するための前提条件またはトリガとして使用され得る。センサ（複数可）７４は、例えば、加速度計などの慣性センサであってもよい。
【００５０】
図６に示される別の実施形態では、ユーザ支持インタフェース９０は、下部筐体８０に取り付けられた単一のカップ形状の要素の形状をしていてもよく、ユーザの顎を受け台に載せるように設計されてもよく、この場合もやはり、頬を支持するユーザの手が存在するときに患者の顔の形状に適合するように十分に柔軟な材料で形成されてもよい。カップ形状の要素は、ユーザの生体構造の関数として選択される、異なるサイズで利用可能であってもよい。
【００５１】
図７に示される別の実施形態では、ユーザ支持インタフェース９０は、平らな、細長い把持領域の円周にわたる柔軟なワイヤフレーム要素として実施されてもよい。実施形態では、柔軟なワイヤフレーム要素は、グリップ９０の形状を維持するための追加の支持支柱９４を含み得る。
【００５２】
図８に示される別の実施形態では、ユーザ支持インタフェース９０は、頬を支持する間ユーザの手と頬との間の平らな細長い領域をまとめて覆うように、筐体８０から扇形に広がる個別の柔軟なワイヤの集合から形成されてもよい。ここでも、１つまたは複数の直交接続要素９５が、このグリップ９０の全体形状及び完全性を維持するために使用され得る。
【００５３】
実施形態によれば、オシロメトリデバイス１０は、図１〜８に示され本明細書で説明される項目のうちの２つまたはそれ以上を有して、測定が自動的に開始される前に安定した安静呼吸がデバイス１０によって検出されていることなどの他の基準とおそらく組み合わせて、適切な頬の支持、舌を置くこと、及び／または適切なデバイスの向きの組み合わせが、測定を開始するための前提条件またはトリガとして使用され得ることを確実にする。これらの特徴は、例えば処理モジュール７１の一部として、デバイス１０内にプログラムされてもよい。
【００５４】
別の実施形態では、オシロメトリデバイス１０で提供される受け台は、オシロメトリデバイス１０が受け台の上に置かれるときに、デバイス１０がユーザ支持インタフェース（複数可）９０によって容易に掴まれ得るようにユーザ支持インタフェース９０が自然に配置されるような形状であってもよい。受け台は、他の選択肢の中でも、非接触充電のための手段を含み得る、オシロメトリデバイス１０を充電するための手段を含んでもよい。
【００５５】
デバイスの別の実施形態では、ユーザ支持インタフェースは、ユーザの頭部の周りに付けられる弾性バンドを有する頭部インタフェースによって代えられてもよく、それによって、オシロメトリデバイス１０は、マスクのように装着されて、例えば運動試験中にトレッドミルまたは定置式自転車上でユーザを測定するために完全なハンズフリー操作を可能にし得る。この特徴は、必ずしも自己使用ではないオシロメトリデバイスにあってもよい。
【図１】
2022500212.tif 000003
【図２】
2022500212.tif 000004
【図３】
2022500212.tif 000005
【図４】
2022500212.tif 000006
【図５】
2022500212.tif 000007
【図６】
2022500212.tif 000008
【図７】
2022500212.tif 000009
【図８】
2022500212.tif 000010
【国際調査報告】
2022500212.tif 000011
2022500212.tif 000012